(57)【特許請求の範囲】
【請求項１】
バックライトモジュールであって、
入光面、出光面及び反射面を含む導光板と、
前記導光板の反射面上に設置され、前記導光板内の伝播光を前記出光面に反射すること
に用いられる反射板と、
前記導光板の出光面上に設置され、前記導光板の射出光を拡散処理することに用いられ
る拡散片と、
前記拡散片の出光面上に設置されるプリズム群と、
前記導光板の出光面の周囲に設置されるリムテープ層と、
前記導光板の入光面側に設置される光源と、
前記光源に電気的に接続され、且つ光源を制御することに用いられるフレキシブル回路
基板であって、前記光源とリムテープ層との間に設置されるフレキシブル回路基板と、
前記光源の外側に設置され、フレームの一側が反射板のエッジに固定して接続され、前
記フレームの他側がリムテープ層のエッジに固定して接続されるフレームと、
前記拡散片とリムテープ層との間に設置され、且つプリズム群の外側に設置される遮光
層であって、前記遮光層が拡散片の入射光側に対応して設置され、前記遮光層は分離して
いる中間段及び側辺段を含み、前記中間段の長さが側辺段の長さより大きく、前記側辺段
の両側がそれぞれ拡散片とリムテープ層に固定して接続され、前記中間段の片側のみがリ
ムテープ層に固定して接続され、前記側辺段は中間段の両側に設置される第１側辺段及び
第２側辺段を含み、前記側辺段は拡散片のエッジに対応して設置され、前記側辺段の拡散
片に対応する一側に拡散片と接着して固定して接続されるための接着層が設けられ、前記
分離している中間段と側辺段との間に分離線が設けられる遮光層と、を含むバックライトモジュール。
【請求項２】
バックライトモジュールであって、
入光面、出光面及び反射面を含む導光板と、
前記導光板の反射面上に設置され、前記導光板内の伝播光を前記出光面に反射すること
に用いられる反射板と、
前記導光板の出光面上に設置され、前記導光板の射出光を拡散処理することに用いられ
る拡散片と、
前記拡散片の出光面上に設置されるプリズム群と、
前記導光板の出光面の周囲に設置されるリムテープ層と、
前記導光板の入光面側に設置される光源と、
前記光源に電気的に接続され、且つ光源を制御することに用いられるフレキシブル回路
基板であって、前記光源とリムテープ層との間に設置されるフレキシブル回路基板と、
前記光源の外側に設置され、フレームの一側が反射板のエッジに固定して接続され、前
記フレームの他側がリムテープ層のエッジに固定して接続されるフレームと、
前記拡散片とリムテープ層との間に設置され、且つプリズム群の外側に設置される遮光
層であって、前記遮光層が拡散片の入射光側に対応して設置され、前記遮光層は分離して
いる中間段及び側辺段を含み、前記中間段の長さが側辺段の長さより大きく、前記側辺段
の両側がそれぞれ拡散片とリムテープ層に固定して接続され、前記中間段の片側のみがリ
ムテープ層に固定して接続される遮光層と、を含むバックライトモジュール。
【請求項３】
前記側辺段は中間段の両側に設置される第１側辺段及び第２側辺段を含む請求項２に記
載のバックライトモジュール。
【請求項４】
前記側辺段は拡散片のエッジに対応して設置される請求項２に記載のバックライトモジ
ュール。
【請求項５】
前記側辺段の拡散片に対応する一側に拡散片と接着して固定して接続されるための接着
層が設けられる請求項２に記載のバックライトモジュール。
【請求項６】
前記拡散片の入光側に長手方向に沿った１本又は複数の分割線が設けられる請求項２に記載のバックライトモジュール。
【請求項７】
前記遮光層は黒色ＰＥＴ層である請求項２に記載のバックライトモジュール。
【請求項８】
前記分離している中間段と側辺段との間に分離線が設けられる請求項２に記載のバックライトモジュール。
【請求項９】
前記分離線は湾曲線又は折れ線である請求項８に記載のバックライトモジュール。
【請求項１０】
表示装置であって、
バックライトモジュールを含み、前記バックライトモジュールは、
入光面、出光面及び反射面を含む導光板と、
前記導光板の反射面上に設置され、前記導光板内の伝播光を前記出光面に反射すること
に用いられる反射板と、
前記導光板の出光面上に設置され、前記導光板の射出光を拡散処理することに用いられ
る拡散片と、
前記拡散片の出光面上に設置されるプリズム群と、
前記導光板の出光面の周囲に設置されるリムテープ層と、
前記導光板の入光面側に設置される光源と、
前記光源に電気的に接続され、且つ光源を制御することに用いられるフレキシブル回路
基板であって、前記光源とリムテープ層との間に設置されるフレキシブル回路基板と、
前記光源の外側に設置され、フレームの一側が反射板のエッジに固定して接続され、前
記フレームの他側がリムテープ層のエッジに固定して接続されるフレームと、
前記拡散片とリムテープ層との間に設置され、且つプリズム群の外側に設置される遮光
層であって、前記遮光層が拡散片の入射光側に対応して設置され、前記遮光層は分離して
いる中間段及び側辺段を含み、前記中間段の長さが側辺段の長さより大きく、前記側辺段
の両側がそれぞれ拡散片とリムテープ層に固定して接続され、前記中間段の片側のみがリ
ムテープ層に固定して接続される遮光層と、を含む表示装置。
【請求項１１】
前記側辺段は中間段の両側に設置される第１側辺段及び第２側辺段を含む請求項１０に
記載の表示装置。
【請求項１２】
前記側辺段は拡散片のエッジに対応して設置される請求項１０に記載の表示装置。
【請求項１３】
前記側辺段の拡散片に対応する一側に拡散片と接着して固定して接続されるための接着
層が設けられる請求項１０に記載の表示装置。
【請求項１４】
前記拡散片の入光側に長手方向に沿った１本又は複数の分割線が設けられる請求項１０に記載の表示装置。
【請求項１５】
前記遮光層は黒色ＰＥＴ層である請求項１０に記載の表示装置。
【請求項１６】
前記分離している中間段と側辺段との間に分離線が設けられる請求項１０に記載の表示装置。
【請求項１７】
前記分離線は湾曲線又は折れ線である請求項１６に記載の表示装置。
【請求項１８】
前記バックライトモジュールに接続される表示モジュールをさらに含み、前記表示モジ
ュールは、
前記バックライトモジュールのリムテープ層に接続される第１偏光板と、
前記第１偏光板のうちのリムテープ層から離れた一側に接続されるアレイ基板と、
前記アレイ基板のうちの第１偏光板から離れた一側に接続されるカラーフィルター基板
と、
前記カラーフィルター基板のうちのアレイ基板から離れた一側に接続される第２偏光板
と、を含む請求項１０に記載の表示装置。
【発明の詳細な説明】
【技術分野】
【０００１】
本発明は表示の技術分野に関し、特にバックライトモジュール及び表示装置に関する。
【背景技術】
【０００２】
現在、携帯電話モジュールの薄型化が進んでおり、ＲＡ試験（製品成形後に、苛酷な環境、例えば高温、高湿等の環境下で行われる信頼性テスト）後のフィルムの反り（Ｗａｖｉｎｇ）が注目されている課題であり、これは多くの場合当該モジュールを量産できるか否かに関わる。
【０００３】
そのうち、ほとんどの反りは拡散片に関連しており、ＲＡ試験後に、拡散片に反り状態が生じやすい。
【発明の概要】
【発明が解決しようとする課題】
【０００４】
本発明の実施例はバックライトモジュール及び表示装置を提供し、それにより、ＲＡ試験後に、拡散片に反り状態が生じやすいという問題を解決する。
【課題を解決するための手段】
【０００５】
本発明の実施例はバックライトモジュールを提供し、入光面、出光面及び反射面を含む導光板と、前記導光板の反射面上に設置され、前記導光板内の伝播光を前記出光面に反射することに用いられる反射板と、前記導光板の出光面上に設置され、前記導光板の射出光を拡散処理することに用いられる拡散片と、前記拡散片の出光面上に設置されるプリズム群と、前記導光板の出光面の周囲に設置されるリムテープ層と、前記導光板の入光面側に設置される光源と、前記光源に電気的に接続され、且つ光源を制御することに用いられるフレキシブル回路基板であって、前記光源とリムテープ層との間に設置されるフレキシブル回路基板と、前記光源の外側に設置され、フレームの一側が反射板のエッジに固定して接続され、前記フレームの他側がリムテープ層のエッジに固定して接続されるフレームと、前記拡散片とリムテープ層との間に設置され、且つプリズム群の外側に設置される遮光層であって、前記遮光層が拡散片の入射光側に対応して設置され、前記遮光層は分離している中間段及び側辺段を含み、前記中間段の長さが側辺段の長さより大きく、前記側辺段の両側がそれぞれ拡散片とリムテープ層に固定して接続され、前記中間段の片側のみがリムテープ層に固定して接続され、前記側辺段は中間段の両側に設置される第１側辺段及び第２側辺段を含み、前記側辺段は拡散片のエッジに対応して設置され、前記側辺段の拡散片に対応する一側に拡散片と接着して固定して接続されるための接着層が設けられ、前記分離している中間段と側辺段との間に分離線が設けられ、前記分離線の側辺に光を遮る突出部が設けられる遮光層と、を含む。
【０００６】
本発明の実施例はバックライトモジュールをさらに提供し、入光面、出光面及び反射面を含む導光板と、前記導光板の反射面上に設置され、前記導光板内の伝播光を前記出光面に反射することに用いられる反射板と、前記導光板の出光面上に設置され、前記導光板の射出光を拡散処理することに用いられる拡散片と、前記拡散片の出光面上に設置されるプリズム群と、前記導光板の出光面の周囲に設置されるリムテープ層と、前記導光板の入光面側に設置される光源と、前記光源に電気的に接続され、且つ光源を制御することに用いられるフレキシブル回路基板であって、前記光源とリムテープ層との間に設置されるフレキシブル回路基板と、前記光源の外側に設置され、フレームの一側が反射板のエッジに固定して接続され、前記フレームの他側がリムテープ層のエッジに固定して接続されるフレームと、前記拡散片とリムテープ層との間に設置され、且つプリズム群の外側に設置される遮光層であって、前記遮光層が拡散片の入射光側に対応して設置され、前記遮光層は分離している中間段及び側辺段を含み、前記中間段の長さが側辺段の長さより大きく、前記側辺段の両側がそれぞれ拡散片とリムテープ層に固定して接続され、前記中間段の片側のみがリムテープ層に固定して接続される遮光層と、を含む。
【０００７】
本発明の実施例に係るバックライトモジュールにおいて、前記側辺段は中間段の両側に設置される第１側辺段及び第２側辺段を含む。
【０００８】
本発明の実施例に係るバックライトモジュールにおいて、前記側辺段は拡散片のエッジに対応して設置される。
【０００９】
本発明の実施例に係るバックライトモジュールにおいて、前記側辺段の拡散片に対応する一側に拡散片と接着して固定して接続されるための接着層が設けられる。
【００１０】
本発明の実施例に係るバックライトモジュールにおいて、前記拡散片の入光側に長手方向に沿った１本又は複数の分割線が設けられ、前記分割線の両側の拡散片が切断されている。
【００１１】
本発明の実施例に係るバックライトモジュールにおいて、前記遮光層は黒色ＰＥＴ層である。
【００１２】
本発明の実施例に係るバックライトモジュールにおいて、前記分離している中間段と側辺段との間に分離線が設けられ、前記分離線の側辺に光を遮る突出部が設けられる。
【００１３】
本発明の実施例に係るバックライトモジュールにおいて、前記分離線は湾曲線又は折れ線である。
【００１４】
本発明の実施例は表示装置をさらに提供し、それは上記いずれかに記載のバックライトモジュールを含む。
【００１５】
本発明の実施例に係る表示装置において、前記バックライトモジュールに接続される表示モジュールをさらに含み、前記表示モジュールは、前記バックライトモジュールのリムテープ層に接続される第１偏光板と、前記第１偏光板のうちのリムテープ層から離れた一側に接続されるアレイ基板と、前記アレイ基板のうちの第１偏光板から離れた一側に接続されるカラーフィルター基板と、前記カラーフィルター基板のうちのアレイ基板から離れた一側に接続される第２偏光板と、を含む。
【発明の効果】
【００１６】
（有益な効果）
本発明の実施例はバックライトモジュール及び携帯電話モジュールを提供する。当該バックライトモジュールにおいて、遮光層は分離している中間段及び側辺段を含み、そのうち、側辺段の両側がそれぞれ拡散片とリムテープ層に固定して接続され、中間段の片側のみがリムテープ層に固定して接続され、遮光層を拡散片との一体構造ではないようにし、拡散片と遮光層との膨張係数が異なるようにする。高温又は低温等の条件下で、拡散片と遮光層とが異なる程度に膨張又は収縮して遮光層の中間段と拡散片とが相対移動する。すなわち、遮光層の中間段が拡散片に対して摺動することが可能となり、且つ中間段の長さが側辺段の長さより大きく、高温又は低温環境下で遮光層と拡散片との膨張率が異なることにより遮光層と拡散片との膨張長さが異なるため、反りが生じることを回避できる。更に、変更が小さく、元の製造過程にはほぼ影響せず、追加部材を増やすことがなく、コストに影響を与えることがない。
【図面の簡単な説明】
【００１７】
図面の説明
【図１】図１は、本発明の実施例における表示装置の構造模式図である。
【図２】図２は、本発明の実施例における表示装置の断面構造模式図である。
【図３】図３は、本発明の実施例における遮光層及び拡散片の構造模式図である。
【図４】図４は、本発明の実施例における遮光層と拡散片及びリムテープ層の構造模式図である。
【図５】図５は、本発明の実施例における分割線付き拡散片の構造図である。
【発明を実施するための形態】
【００１８】
発明の最適な実施形態
以下、各実施例の説明は、添付する図面を参照し、本発明の実施可能な特定の実施例を例示するためのものである。本発明に係る方向用語、たとえば「上」、「下」、「前」、「後」、「左」、「右」、「内」、「外」、「側面」等は、添付する図面を参照する方向に過ぎない。従って、使用される方向用語は本発明を説明及び理解するためのものに過ぎず、本発明を限定するためのものではない。
【００１９】
図１〜図５では、構造が類似するユニットは同一符号で示されている。
【００２０】
図１及び図２を参照すると、図１は本発明の実施例における表示装置の構造模式図であり、図２は本発明の実施例における表示装置の断面構造模式図である。
【００２１】
本実施例により提供される表示装置は、バックライトモジュール１００、及びバックライトモジュールに接続される表示モジュール２００を含み、表示モジュールは、順に設置される下偏光板（ＰＯＬ  ｄｏｗｎ、ｐｏｌａｒｉｚａｔｉｏｎ  ｆｉｌｍ  ｄｏｗｍ）２１０、アレイ基板（Ａｒｒａｙ）２２０、カラーフィルター基板（ＣＦ、ＣｏｌｏｒＦｉｌｔｅｒ）２３０及び上偏光板（ＰＯＬ  ｕｐ、ｐｏｌａｒｉｚａｔｉｏｎ  ｆｉｌｍ  ｕｐ）２４０を含む。そのうち、下偏光板２１０がバックライトモジュール１００に接続され、アレイ基板２２０が下偏光板２１０のうちのバックライトモジュール１００から離れた一側に接続され、カラーフィルター基板２３０がアレイ基板２２０のうちの第１偏光板２１０から離れた一側に接続され、上偏光板２４０がカラーフィルター基板２３０のうちのアレイ基板２２０から離れた一側に接続される。そのうち、アレイ基板２２０がさらに制御チップ２２１に接続される。そのうち、カラーフィルター基板２３０の両側が下偏光板２１０と上偏光板２４０を超えてもよく、アレイ基板２２０の幅がカラーフィルター基板２３０の幅以上であってもよい。
【００２２】
本実施例では、バックライトモジュール１００は、順に反射板（Ｒｅｆｌｅｃｔｏｒ）１１０、導光板（ＬＧＰ、Ｌｉｇｈｔ  Ｇｕｉｄｅ  Ｐｌａｔｅ）１２０、拡散片（Ｄｉｆｆｕｓｅｒ）１３０、プリズム群１４０、リムテープ層（Ｒｉｍ  Ｔａｐｅ）１５０を含み、バックライトモジュール１００は、光源１７０、フレキシブル回路基板（ＦＰＣ、ｆｌｅｘｉｂｌｅ  ｐｒｉｎｔｅｄ  ｃｉｒｃｕｉｔ）１８０及びフレーム１９０をさらに含む。導光板は入光面、出光面及び反射面を含み、反射板は、上記導光板の反射面上に設置され、上記導光板内の伝播光を上記出光面に反射することに用いられ、拡散片は、上記導光板の出光面上に設置され、上記導光板の射出光を拡散処理することに用いられ、プリズム群は、上記拡散片の出光面上に設置され、リムテープ層は、上記導光板の出光面の周囲（四辺）に設置される。
【００２３】
そのうち、プリズム群１４０は拡散片１３０とリムテープ層１５０との間に設置され、プリズム群１４０は下プリズム（ｐｒｉｓｍ  ｄｏｗｎ）及び上プリズム（ｐｒｉｓｍ  ｕｐ）を含んでもよい。導光板１２０は拡散片１３０のうちのリムテープ層１５０から離れた一側に接続される。反射板１１０は導光板１２０のうちのリムテープ層１５０から離れた一側に接続される。光源１７０は反射板１１０の側辺とリムテープ層１５０側辺との間に設置され、且つ導光板１２０の外側に設置される。光源１７０は片面光源であってもよく、両面光源であってもよい。そのうち、光源１７０はＬＥＤ光源であってもよい。フレキシブル回路基板１８０は光源１７０に接続され、且つ光源１７０を制御することに用いられ、フレキシブル回路基板１８０は光源１７０とリムテープ層１５０との間に設置される。フレーム１９０は光源１７０の外側に設置され、フレーム１９０の一側は反射板１１０のエッジに固定して接続され、フレーム１９０の他側はリムテープ層１５０のエッジに固定して接続される。リムテープ層１５０と反射板１１０の間を密封することに用いられる。そのうち、リムテープ層１５０上にリワークテープ（Ｒｅｗｏｒｋ  Ｔａｐｅ）がさらに設置されてもよい。
【００２４】
図３及び図４に示すように、図３は本発明の実施例における遮光層及び拡散片の構造模式図であり、図４は遮光層と拡散片及びリムテープ層の構造模式図である。本実施例におけるバックライトモジュールに含まれる遮光層１６０は拡散片１３０とリムテープ層１５０との間に設置され、遮光層１６０はプリズム群１４０の外側に設置され、遮光層１６０は拡散片１３０の入射光側に対応して設置され、遮光層１６０は分離している中間段１６１及び側辺段１６２を含み、中間段１６１の長さが側辺段１６２の長さより大きく、側辺段１６２の両側がそれぞれ拡散片１３０とリムテープ層１５０に固定して接続され、中間段１６１の片側のみがリムテープ層１５０に固定して接続され、拡散片１３０と遮光層１５０との膨張係数が異なる。
【００２５】
遮光層は分離している中間段１６１及び側辺段１６２を含み、遮光層１６０は拡散片１３０との一体構造ではなく、そのうち、側辺段１６２の両側がそれぞれ拡散片１３０とリムテープ層１５０に固定して接続されることで、拡散片１３０の摺動防止作用を果たす。中間段１６１の片側のみがリムテープ層１５０に固定して接続されることで、遮光層１６０の中間段１６１を拡散片１３０との一体構造ではないようにし、拡散片１３０と遮光層１６０との膨張係数が異なるようにする。高温又は低温等の条件下で、拡散片１３０と遮光層１６０とが異なる程度に膨張又は収縮して遮光層１６０の中間段１６１と拡散片１３０とが相対移動する。すなわち遮光層１５０の中間段１６１が拡散片１３０に対して摺動することが可能となり、且つ中間段１６１の長さが側辺段１６２の長さより大きく、高温又は低温環境下で遮光層１５０と拡散片１３０との膨張率が異なることにより遮光層１５０と拡散片１３０との膨張長さが異なるため、反りが生じることを回避できる。更に、変更が小さく、元の製造過程にはほぼ影響せず、追加部材を増やすことがなく、コストに影響を与えることがない。遮光層１６０は直接リムテープ層１５０に接着して固定されてもよく、たとえば、接着剤の塗布又は両面テープの使用などであり、ほかの方式によってリムテープ層１５０上に固定して接続されてもよい。
【００２６】
遮光層１６０は拡散片１３０の入射光側に対応して設置され、すなわち拡散片１３０のうちの光源１７０に近い一側に対応して設置され、それにより光が側辺からプリズム群１４０に入ることを防止できる。光源１７０は片面光源であってもよく、両面光源であってもよく、遮光層１６０は拡散片１３０のうちの両面光源に近い両側縁に設置されてもよい。
【００２７】
遮光層１６０は中間段１６１及び側辺段１６２に分かれており、側辺段１６２はそれぞれリムテープ層１５０と拡散片１３０とに固定して接続され、中間段１６１は拡散片１３０との間に粘性を具備せず、固定接続されておらず、拡散片１３０とは分離している。遮光層１６０の中間段１６１の一側がリムテープ１５０に固定して接続され、他側が粘性を具備せず、拡散片１３０とは移動可能状態にあり、余分な光を遮って、ホットスポット（Ｈｏｔｓｐｏｔ）現象の発生を防止する作用のみを果たす。遮光層１６０の中間段１６１と拡散片１３０との接触部分が粘性を具備しなくなるため、バックライトモジュールにおいて、組み立てられた遮光層１６０の中間段１６１は拡散片１３０を押圧する状態にある。粘性がないため、高温又は低温環境下で拡散片１３０と遮光層とが異なる程度に膨張した後に、拡散片１３０と遮光層１６０の中間段１６１とが相対移動可能になる。
【００２８】
本実施例では、側辺段は中間段１６１の両側に設置される第１側辺段１６３及び第２側辺段１６４を含み、第１側辺段１６３と第２側辺段１６４はそれぞれ拡散片１３０とリムテープ層１５０に固定して接続される。中間段１６１の両側にそれぞれ第１側辺段１６３と第２側辺段１６４が設けられ、第１側辺段１６３と第２側辺段１６４の一側がそれぞれリムテープ層１５０に固定して接続され、他側がそれぞれ拡散片１３０に固定して接続される。第１側辺段１６３と第２側辺段１６４の両側が拡散片のエッジに固定して接続される方が、片側のみが拡散片に固定して接続される場合よりも、拡散片１３０の摺動防止作用をよりよく果たす。
【００２９】
本実施例では、側辺段１６２は拡散片１３０のうちの光源に近い一側のエッジに対応して設置される。側辺段１６２は、長さが中間段１６１の長さより遥かに小さく、且つバックライトモジュールのうちのエッジに近い位置にあり、バックライトモジュールの熱量が低い位置にある。更に、幅が非常に狭く、熱変形量が非常に小さく、拡散片１３０の変形を招きにくい。
【００３０】
本実施例では、側辺段の拡散片１３０に対応する一側に、拡散片１３０と接着して固定して接続されるための接着層１６５が設けられる。そのうち、側辺段は中間段の両側に設置される第１側辺段１６３及び第２側辺段１６４を含む。接着層１６５によって拡散片１３０と接着して固定して接続されるが、接着層１６５は両面テープであってもよく、接着剤であってもよく、両面に粘性を有するほかの材料であってもよい。
【００３１】
本実施例では、遮光層１６０は黒色ＰＥＴ（Ｐｏｌｙｅｔｈｙｌｅｎｅ  ｔｅｒｅｐｈｔｈａｌａｔｅ、ポリエチレンテレフタレート類プラスチック）層である。
【００３２】
図５に示すように、図５は本発明の実施例における分割線付き拡散片の構造図である。本実施例では、拡散片１３０の入光側、すなわち光源に対応する側に、長手方向に沿った１本又は複数の分割線１３１が設けられ、分割線１３１の両側の拡散片１３０が切断されている。拡散片１３０の入光側に縦方向、すなわち長手方向に切断された１本又は複数の分割線１３１が形成されていることで、入光側の熱源による拡散片１３０の変形量をリリースする。
【００３３】
本実施例では、分離している中間段と側辺段との間に分離線が設けられ、分離線の側辺に光を遮る突出部が設けられる。具体的には、分離線は湾曲線又は折れ線であり、湾曲箇所において分離線の両側の中間段及び／又は側辺段が分離線へ突出して、光を遮る突出部を形成し、光源からの光が分離線を介してバックライトモジュールの内部入ることを防止する。そのうち、湾曲線は弧線、曲線等であってもよく、そのうち、弧線は角度を比較的大きくしてもよく、複数のサブ弧線を接続してもよく、曲線は複数の湾曲角を有してもよく、分離線の両側の中間段及び側辺段の位置ずれによって光を遮る。折れ線は２つ又は複数の９０°直角を有する折れ線であってもよく、２つ又は複数の鋭角又は鈍角を有する折れ線であってもよく、湾曲線と折れ線の組合せであってもよく、同様に分離線の両側の中間段と側辺段の位置ずれによって光を遮り、特に２つの９０°直角は光を効果的に遮ることができるだけでなく、製作に便利である。
【００３４】
上記実施例により提供されるバックライトモジュールは主に携帯電話モジュールに用いられる。
【００３５】
上記のように、本発明は好適実施例を参照して開示されているが、上記好適実施例は本発明を限定するためのものではなく、当業者であれば、誰も本発明の精神及び範囲を逸脱せずに種々の変更や修飾を行うことができ、従って本発明の保護範囲は特許請求の範囲に定められた範囲に準じる。
【符号の説明】
【００３６】
１００  バックライトモジュール
１１０  反射板
１２０  導光板
１３０  拡散片
１３１  分割線
１４０  プリズム群
１５０  遮光層
１５０  リムテープ層
１６０  遮光層
１６１  中間段
１６２  側辺段
１６３  第１側辺段
１６４  第２側辺段
１６５  接着層
１７０  光源
１８０  フレキシブル回路基板
１９０  フレーム
２００  表示モジュール
２１０  第１偏光板
２１０  下偏光板
２２０  アレイ基板
２２１  制御チップ
２３０  カラーフィルター基板
２４０  上偏光板
【図１】
0006830553.tif 000002
【図２】
0006830553.tif 000003
【図３】
0006830553.tif 000004
【図４】
0006830553.tif 000005
【図５】
0006830553.tif 000006